(57)【要約】【課題】接続作業が容易であり、かつ施工後に床暖房フロアとしての使用感を劣化させることのない床暖房パネルおよび床暖房パネル構造の提供【解決手段】床暖房パネル１０ａ，１０ｂは、パネル基材１と、熱媒流通パイプ２とを備え、パネル基材１の少なくとも一つの角部に接続部材収容空間１ｅが設けられており、直線状のパネル間接続部材４１およびコの字状のパネル間接続部材４２が収容されている。また、熱媒流通パイプ２を収容する熱媒流通パイプ収容溝１ａは、パネル基材１の長辺近傍において、長辺に沿って配置された長辺近傍溝１ｂと、長辺近傍溝１ｂから接続部材収容空間１ｅに接続された第一出入口１ｃと、パネル基材１の短辺に沿って配置された溝から接続部材収容空間１ｅに接続された第二出入口１ｄとを備えている。接続部材収容空間１ｅ内には突起部（伸び規制手段）５が設けられている。【選択図】  図１１
2018054226.tif 000002
【特許請求の範囲】
【請求項１】
矩形状のパネル基材と、
熱媒流通パイプと、
を備える床暖房パネルであって、
前記パネル基材の上面に設けられた、前記熱媒流通パイプを収容する熱媒流通パイプ収容溝と、
前記パネル基材の少なくとも一つの角部に設けられた、前記熱媒流通パイプを外部熱源に接続する外部接続部材および／または隣接する他の床暖房パネルの熱媒流通パイプに接続するパネル間接続部材を収容する接続部材収容空間とを備え、
前記熱媒流通パイプ収容溝が、
前記パネル基材の長辺に沿って配置された長辺近傍溝と、
前記長辺近傍溝から前記接続部材収容空間に接続された第一出入口と、
前記パネル基材の短辺に沿って配置された溝から前記接続部材収容空間に接続された第二出入口とを備え、
前記長辺近傍溝に収容された前記熱媒流通パイプの伸びを規制する伸び規制手段を備える、
床暖房パネル。
【請求項２】
前記伸び規制手段が、前記接続部材収容空間内で前記パネル間接続部材の移動を規制する、
請求項１に記載の床暖房パネル。
【請求項３】
前記パネル間接続部材が、前記長辺近傍溝に収容された前記熱媒流通パイプと、隣接する他の床暖房パネルの前記長辺近傍溝に収容された前記熱媒流通パイプを接続する、コの字状のパネル間接続部材である、
請求項１または２に記載の床暖房パネル。
【請求項４】
前記伸び規制手段が、前記長辺近傍溝内で、収容された前記熱媒流通パイプの軸方向の移動を規制する、
請求項１に記載の床暖房パネル。
【請求項５】
矩形状のパネル基材および熱媒流通パイプを備える複数の床暖房パネルをつなぎ合わせた床暖房パネル構造であって、
前記パネル基材の上面に設けられた、前記熱媒流通パイプを収容する熱媒流通パイプ収容溝と、
前記パネル基材の少なくとも一つの角部に設けられた、前記熱媒流通パイプを外部熱源に接続する外部接続部材および／または隣接する他の床暖房パネルの熱媒流通パイプに接続するパネル間接続部材を収容する接続部材収容空間とを備え、
前記熱媒流通パイプ収容溝が、
前記パネル基材の長辺に沿って配置された長辺近傍溝と、
前記長辺近傍溝から前記接続部材収容空間に接続された第一出入口と、
前記パネル基材の短辺に沿って配置された溝から前記接続部材収容空間に接続された第二出入口とを備え、
前記外部接続部材と前記パネル間接続部材との間、または、前記パネル間接続部材と前記パネル間接続部材との間に、長辺近傍溝に収容された前記熱媒流通パイプの伸びを規制するスペーサを備える、
床暖房パネル構造。
【請求項６】
矩形状のパネル基材および熱媒流通パイプを備える複数の床暖房パネルをつなぎ合わせた床暖房パネル構造であって、
前記パネル基材の上面に設けられた、前記熱媒流通パイプを収容する熱媒流通パイプ収容溝と、
前記パネル基材の少なくとも一つの角部に設けられた、前記熱媒流通パイプを外部熱源に接続する外部接続部材および／または隣接する他の床暖房パネルの熱媒流通パイプに接続するパネル間接続部材を収容する接続部材収容空間とを備え、
前記熱媒流通パイプ収容溝が、
前記パネル基材の長辺に沿って配置された長辺近傍溝と、
前記長辺近傍溝から前記接続部材収容空間に接続された第一出入口と、
前記パネル基材の短辺に沿って配置された溝から前記接続部材収容空間に接続された第二出入口とを備え、
前記長辺近傍溝に収容された前記熱媒流通パイプに接続されるパネル間接続部材を前記接続部材収容空間内で固定する固定具を備える、
床暖房パネル構造。
【発明の詳細な説明】
【技術分野】
【０００１】
本発明は、床暖房パネルおよび床暖房パネル構造に関する。
【背景技術】
【０００２】
床暖房床の施工には、床下地の上に、釘類、ねじ類、接着剤などを用いて床暖房パネルを固定し、その上に、接着剤などにより床材を貼り付けることにより行われる。
【０００３】
図１および図２に示すように、通常、床暖房パネル１０５は、木質材、硬質発泡体などで構成されるパネル基材１０３と、ポリエチレンなどで構成される熱媒流通パイプ１０２と、アルミニウム等の金属シートで構成される被覆シート１０４とを備える。パネル基材１０３の上面には熱媒流通パイプ収容溝１０３ａが設けられており、熱媒流通パイプ収容溝１０３ａ内には、熱媒流通パイプ１０２が収容されている。そして、パネル基材１０３の少なくとも一つ（図に示す例では二つ）の角部に、接続部材収容空間１０６が設けられている。
【０００４】
特許文献１には、「矩形状の板状基材に収納状態に配設される熱媒流通管の出入り口部分が、前記板状基材における角部の切欠部に隣接位置するように配置された床暖房パネルであって、前記熱媒流通管の出入り口部分を構成する複数本の管部分のうちの一部の管部分が、前記板状基材の一辺の長手方向に沿う又は略沿い、かつ、前記複数本の管部分のうちの他の管部分が前記一部の管部分と直交又は略直交する姿勢で配設されている床暖房パネル」に関する発明が開示されている。
【０００５】
そして、特許文献１では、床暖房パネルにおける前記切欠部に配置する床暖房パネル用熱媒ヘッダとして、「前記切欠部内に配置され、かつ、熱源からの熱媒受け入れ接続部および熱源への熱媒戻し接続部を備える本体部分に、前記熱媒流通管の出入り口部分を構成する複数本の管部分のうちの一部の前記管部分と接続する第１接続部と、前記他の管部分と接続する第２接続部とが、直交又は略直交する姿勢で備えられている床暖房パネル用熱媒ヘッダ。」が用いられる。
【０００６】
特許文献１に記載の床暖房パネルによれば、切欠部に接続される熱媒流通パイプの配置の偏りが解消され、板状基材の全体にわたって暖房効果を得ながら、複数の板状基材を隣接状態に並置させるときに、その並置状態の変化に容易に対応することが可能となる、としている。
【先行技術文献】
【特許文献】
【０００７】
【特許文献１】特開２００３−１９４３５３号公報
【発明の概要】
【発明が解決しようとする課題】
【０００８】
ここで、図３および図４に示すように、床暖房パネル１０は、例えば、パネル基材１の少なくとも一つの角部に設けられた、接続部材（図示省略）を収容する接続部材収容空間１ｅを有しており、熱媒流通パイプ２を収容する熱媒流通パイプ収容溝１ａが、パネル基材１の長辺に沿って配置された長辺近傍溝１ｂと、長辺近傍溝１ｂから接続部材収容空間に接続された第一出入口１ｃと、パネル基材１の短辺に沿って配置された溝から接続部材収容空間１ｅに接続された第二出入口１ｄとを備えている。
【０００９】
特許文献１の発明では、第一出入口１ｃおよび第二出入口１ｄから延びる熱媒流通パイプ２を「複数本の管部分のうちの一部の前記管部分と接続する第１接続部と、前記他の管部分と接続する第２接続部とが、直交又は略直交する姿勢で備えられている床暖房パネル用熱媒ヘッダ」によって、接続することとしている。しかし、熱媒流通パイプ収容溝１ａの形成位置および熱媒流通パイプ２の長さにバラツキがあるため、第一出入口１ｃおよび第二出入口１ｄから突出する熱媒流通パイプ２の位置および長さが一定ではないため、特許文献１で用いられるような一体型の接続部材では、接続作業が極めて困難である。また、このような一体型の接続部材は、形状が複雑であり、その製造が容易ではないという問題もある。
【００１０】
そこで、本発明者らは、上記の図３および図４に示すような、熱媒流通パイプ２を収容する熱媒流通パイプ収容溝１ａが、パネル基材１の長辺に沿って配置された長辺近傍溝１ｂと、長辺近傍溝１ｂから接続部材収容空間１ｅに接続された第一出入口１ｃと、パネル基材１の短辺に沿って配置された溝から接続部材収容空間１ｅに接続された第二出入口１ｄとを備える床暖房パネルに適した接続部材について研究を重ねた。その結果、図５に例示される、熱媒流通パイプ２を外部熱源に接続する外部接続部材４０、ならびに、図６または図７に例示される、隣接する他の床暖房パネルの熱媒流通パイプ２に接続する直線状のパネル間接続部材４１およびコの字状のパネル間接続部材４２を用いることを考えた。
【００１１】
図５に例示される外部接続部材４０においては、第一接続部４０ａおよび第二接続部４０ｂが隣接する床暖房パネルそれぞれの熱媒流通パイプ２に接続され、第三接続部４０ｃおよび第四接続部４０ｄが外部熱源に接続される。そして、第三接続部４０ｃを介して外部熱源から供給された熱媒は、第一接続部４０ａを介して一の床暖房パネルに供給され、第二接続部４０ｂおよび第四接続部４０ｄを介して外部熱源に排出され、適切な温度に再加熱され、再度、第三接続部４０ｃおよび第一接続部４０ａを介して一の床暖房パネルに供給される。
【００１２】
図６に例示される直線状のパネル間接続部材４１においては、第一接続部４１ａおよび第二接続部４１ｂが隣り合う床暖房パネルそれぞれの熱媒流通パイプ２に接続され、図７に例示されるコの字状のパネル間接続部材４２においては、第一接続部４２ａおよび第二接続部４２ｂが隣接する床暖房パネルそれぞれの熱媒流通パイプ２に接続される。これにより、任意の床暖房パネルに供給された熱媒を隣接する床暖房パネルに導出することが可能となる。
【００１３】
そして、図８に示すように、例えば、直線状のパネル間接続部材４１によって、隣接する床暖房パネルそれぞれの第二出入口１ｄに配置された熱媒流通パイプ２同士を接続し、コの字状のパネル間接続部材４２によって、隣り合う床暖房パネル１１ａ，１１ｂそれぞれの第一出入口１ｃに配置された熱媒流通パイプ２同士を接続する。これによって、隣接する床暖房パネル１１ａ，１１ｂに熱媒を流通させることができる。
【００１４】
しかし、図９に示すように、第一出入口１ｃに配置された熱媒流通パイプ２は、長辺近傍溝１ｂ内に配置されており、熱媒が流通することにより、熱膨張するため、コの字状のパネル間接続部材４２が接続部材収容空間１ｅ内で長手方向（図中の白抜き矢印方向）に移動し、直線状のパネル間接続部材４１に接触する場合がある。このような接触が発生すると、音鳴りが発生し、床暖房フロアとしての使用感を劣化させる。この問題は、直線状のパネル間接続部材４１に替えて、図５に例示される外部接続部材４０を用いた場合でも同様に発生する。
【００１５】
本発明は、上記の問題に鑑みなされたものであり、接続作業が容易であり、かつ施工後に床暖房フロアとしての使用感を劣化させることのない床暖房パネルおよび床暖房パネル構造を提供することを目的とする。
【課題を解決するための手段】
【００１６】
本発明は、下記の床暖房パネルおよび床暖房パネル構造を要旨とする。
【００１７】
（１）矩形状のパネル基材と、
熱媒流通パイプと、
を備える床暖房パネルであって、
前記パネル基材の上面に設けられた、前記熱媒流通パイプを収容する熱媒流通パイプ収容溝と、
前記パネル基材の少なくとも一つの角部に設けられた、前記熱媒流通パイプを外部熱源に接続する外部接続部材および／または隣接する他の床暖房パネルの熱媒流通パイプに接続するパネル間接続部材を収容する接続部材収容空間とを備え、
前記熱媒流通パイプ収容溝が、
前記パネル基材の長辺に沿って配置された長辺近傍溝と、
前記長辺近傍溝から前記接続部材収容空間に接続された第一出入口と、
前記パネル基材の短辺に沿って配置された溝から前記接続部材収容空間に接続された第二出入口とを備え、
前記長辺近傍溝に収容された前記熱媒流通パイプの伸びを規制する伸び規制手段を備える、
床暖房パネル。
【００１８】
（２）前記伸び規制手段が、前記接続部材収容空間内で前記パネル間接続部材の移動を規制する、
上記（１）の床暖房パネル。
【００１９】
（３）前記パネル間接続部材が、前記長辺近傍溝に収容された前記熱媒流通パイプと、隣接する他の床暖房パネルの前記長辺近傍溝に収容された前記熱媒流通パイプを接続する、コの字状のパネル間接続部材である、
上記（１）または（２）に記載の床暖房パネル。
【００２０】
（４）前記伸び規制手段が、前記長辺近傍溝内で、収容された前記熱媒流通パイプの軸方向の移動を規制する、
上記（１）に記載の床暖房パネル。
【００２１】
（５）矩形状のパネル基材および熱媒流通パイプを備える複数の床暖房パネルをつなぎ合わせた床暖房パネル構造であって、
前記パネル基材の上面に設けられた、前記熱媒流通パイプを収容する熱媒流通パイプ収容溝と、
前記パネル基材の少なくとも一つの角部に設けられた、前記熱媒流通パイプを外部熱源に接続する外部接続部材および／または隣接する他の床暖房パネルの熱媒流通パイプに接続するパネル間接続部材を収容する接続部材収容空間とを備え、
前記熱媒流通パイプ収容溝が、
前記パネル基材の長辺に沿って配置された長辺近傍溝と、
前記長辺近傍溝から前記接続部材収容空間に接続された第一出入口と、
前記パネル基材の短辺に沿って配置された溝から前記接続部材収容空間に接続された第二出入口とを備え、
前記外部接続部材と前記パネル間接続部材との間、または、前記パネル間接続部材と前記パネル間接続部材との間に、長辺近傍溝に収容された前記熱媒流通パイプの伸びを規制するスペーサを備える、
床暖房パネル構造。
【００２２】
（６）矩形状のパネル基材および熱媒流通パイプを備える複数の床暖房パネルをつなぎ合わせた床暖房パネル構造であって、
前記パネル基材の上面に設けられた、前記熱媒流通パイプを収容する熱媒流通パイプ収容溝と、
前記パネル基材の少なくとも一つの角部に設けられた、前記熱媒流通パイプを外部熱源に接続する外部接続部材および／または隣接する他の床暖房パネルの熱媒流通パイプに接続するパネル間接続部材を収容する接続部材収容空間とを備え、
前記熱媒流通パイプ収容溝が、
前記パネル基材の長辺に沿って配置された長辺近傍溝と、
前記長辺近傍溝から前記接続部材収容空間に接続された第一出入口と、
前記パネル基材の短辺に沿って配置された溝から前記接続部材収容空間に接続された第二出入口とを備え、
前記長辺近傍溝に収容された前記熱媒流通パイプに接続されるパネル間接続部材を前記接続部材収容空間内で固定する固定具を備える、
床暖房パネル構造。
【発明の効果】
【００２３】
本発明によれば、接続作業が容易であり、かつ施工後に床暖房フロアとしての使用感を劣化させることのない床暖房パネルおよび床暖房パネル構造を提供することができる。
【図面の簡単な説明】
【００２４】
【図１】従来の床暖房パネルを例示した斜視図
【図２】図１の部分断面図
【図３】従来の床暖房パネルにおけるパネル基材を例示した図
【図４】従来の床暖房パネル（ただし、被覆シートは省略）の角部を拡大した図
【図５】本実施形態に係る外部接続部材を例示した斜視図
【図６】本実施形態に係る直線状のパネル間接続部材を例示した斜視図
【図７】本実施形態に係るコの字状のパネル間接続部材を例示した斜視図
【図８】従来の床暖房パネル（ただし、被覆シートは省略）において、本実施形態に係るパネル間接続部材を接続した状態を示す部分拡大図
【図９】図８の床暖房パネルに熱媒を流通させた状態を示す部分拡大図
【図１０】本実施形態に係る床暖房パネルの部分断面図
【図１１】本実施形態に係る床暖房パネル（ただし、被覆シートは省略）の角部を拡大した図
【図１２】第二の本実施形態に係る床暖房パネル（ただし、被覆シートは省略）の角部を拡大した図
【図１３】第三の本実施形態に係る床暖房パネル（ただし、被覆シートは省略）の角部を拡大した図
【図１４】第四の本実施形態に係る床暖房パネル（ただし、被覆シートは省略）の角部を拡大した図
【図１５】第五の本実施形態に係る床暖房パネル（ただし、被覆シートは省略）の角部を拡大した図
【図１６】本実施形態に係る床暖房パネル構造に用いられる床暖房パネル（ただし、被覆シートは省略）の角部を拡大した図
【図１７】第二の本実施形態に係る床暖房パネル構造に用いられる床暖房パネル（ただし、被覆シートは省略）の角部を拡大した図
【発明を実施するための形態】
【００２５】
以下、図を用いて本実施形態に係る床暖房パネルおよび床暖房パネル構造を説明する。
１．本実施形態に係る床暖房パネル
本実施形態に係る床暖房パネルの基本的な構造は、従来技術のそれと同様である。すなわち、図１０に示すように、床暖房パネル１０は、木質材、硬質発泡体などで構成されるパネル基材１と、ポリエチレンなどで構成される熱媒流通パイプ２とを備える。さらに、必要に応じてアルミニウム等の金属シートで構成される被覆シート６を備えてもよい。パネル基材１の上面には熱媒流通パイプ収容溝１ａが設けられており、熱媒流通パイプ収容溝１ａ内には、熱媒流通パイプ２が収容されている。そして、パネル基材１の少なくとも一つの角部に、接続部材収容空間（図示省略）が設けられている。
【００２６】
パネル基材１は、いくつかのサイズの組み合わせにより、必要面積の放熱部を構成するものであり、例えば、厚さが９ｍｍ、１２ｍｍ、１５ｍｍなど、巾が４５０ｍｍ、９００ｍｍなど、長さが９００ｍｍ、１８００ｍｍなどである。合板などの木質材、ポリエチレンなどの発泡樹脂を用いることができる。耐荷重性および寸法安定性に優れているため、合板等の木質パネルを用いるのが好ましい。熱媒流通パイプ収容溝１ａは、施工する床暖房フロアに求められる性能に応じて、パネル基材１の全面または一部に設けられる。
【００２７】
熱媒流通パイプ２は、例えば、架橋ポリエチレンなどからなる、内径５〜１０ｍｍの断面円形の管である。管内に温水などの熱媒を流通させることにより床暖房パネル全体を温めるためのものである。
【００２８】
そして、図１１に示すように、床暖房パネル１０ａ，１０ｂは、例えば、パネル基材１の少なくとも一つの角部に接続部材収容空間１ｅが設けられており、直線状のパネル間接続部材４１およびコの字状のパネル間接続部材４２が収容されている。また、熱媒流通パイプ２を収容する熱媒流通パイプ収容溝１ａは、パネル基材１の長辺近傍において、長辺に沿って配置された長辺近傍溝１ｂと、長辺近傍溝１ｂから接続部材収容空間１ｅに接続された第一出入口１ｃと、パネル基材１の短辺に沿って配置された溝から接続部材収容空間１ｅに接続された第二出入口１ｄとを備えている。すなわち、第一出入口１ｃと第二出入口１ｄとは互いに直交するように接続部材収容空間１ｅに開口している。熱媒流通パイプ２は、温度ムラを防止する観点から、例えば、一方の終端が第一出入口１ｃに、他方の終端が第二出入口１ｄにそれぞれ配置するように、熱媒流通パイプ収容溝１ａ内に収容される。
【００２９】
接続部材収容空間１ｅは、パネル基材１の表面から裏面までを切欠いて構成してもよいし、パネル基材１の表面側のみ彫り、裏面側を残す構成でもよい。いずれの構成を採用するか、収容される接続部材の種類に応じて決めればよい。また、接続部材収容空間１ｅは、パネル基材１の四隅のうち、一つまたは二つの角部を設けるのがよい。床暖房パネルの両側に隣接する床暖房パネルと熱媒を流通させる場合には、二つの角部を設けたパネル基材１を用いる。床暖房パネルの片側に隣接する床暖房パネルと熱媒を流通させる場合には、一つの角部を設けたパネル基材１を用いる。このように、隣接する床暖房パネル同士を接続することにより、要求面積に応じた床暖房パネル構造を施工することができる。また、外部熱源からの配管を少なくすることができる。
【００３０】
本実施形態に係る接続部材としては、図１１に示す、直線状のパネル間接続部材４１およびコの字状のパネル間接続部材４２の他に、外部接続部材４０を用いることができる。本実施形態に係る接続部材の材質は、金属のほか、プラスチックなどを用いることができる。強度、耐久性の観点からは、金属製のものが好ましい。図５には、熱媒流通パイプ２を外部熱源に接続するための外部接続部材４０を示し、図６には、隣接する他の床暖房パネルの熱媒流通パイプ２に接続するための直線状のパネル間接続部材４１を示し、図７には、隣接する他の床暖房パネルの熱媒流通パイプ２に接続するためのコの字状のパネル間接続部材４２を示している。
【００３１】
図５に例示される外部接続部材４０においては、第一接続部４０ａおよび第二接続部４０ｂが隣接する床暖房パネルそれぞれの熱媒流通パイプ２に接続され、第三接続部４０ｃおよび第四接続部４０ｄが外部熱源に接続される。そして、第三接続部４０ｃを介して外部熱源から供給された熱媒は、第一接続部４０ａを介して一の床暖房パネルに供給され、第二接続部４０ｂおよび第四接続部４０ｄを介して外部熱源に排出され、適切な温度に再加熱され、再度、第三接続部４０ｃおよび第一接続部４０ａを介して一の床暖房パネルに供給される。
【００３２】
図６に例示される直線状のパネル間接続部材４１においては、第一接続部４１ａおよび第二接続部４１ｂが隣り合う床暖房パネルそれぞれの熱媒流通パイプ２に接続され、図７に例示されるコの字状のパネル間接続部材４２においては、第一接続部４２ａおよび第二接続部４２ｂが隣接する床暖房パネルそれぞれの熱媒流通パイプ２に接続される。これにより、例えば、任意の床暖房パネル１０ａに供給された熱媒を直線状のパネル間接続部材４１を介して隣接する床暖房パネル１０ｂに供給し、また床暖房パネル１０ｂに供給された熱媒をコの字状のパネル間接続部材４２を介して隣接する床暖房パネル１０ａに供給することが可能となる。なお、コの字状のパネル間接続部材４２の形状としては、図に示すコの字のほか、Ｕの字、Ｖの字などの形状でもよい（以下、同じ）。
【００３３】
このとき、前掲の図９に示すように、第一出入口１ｃに配置された熱媒流通パイプ２は、長辺近傍溝１ｂ内に配置されており、熱媒が流通することにより、熱膨張するため、コの字状のパネル間接続部材４２が接続部材収容空間１ｅ内で長手方向（図中の白抜き矢印方向）に移動するが、例えば、接続部材収容空間１ｅ内には突起部（伸び規制手段）５が設けられており、この突起部５が、熱媒流通パイプ２の伸びによるパネル間接続部材４２の接続部材収容空間１ｅ内での移動を規制することができる。このため、コの字状のパネル間接続部材４２の直線状のパネル間接続部材４１への接触を抑制し、音鳴りを効果的に防止することが可能となる。
【００３４】
図１１に示す例では、隣接する床暖房パネル１０ａ，１０ｂ間において相互に熱媒の供給をする場合の例を示したが、図１２に示す例では、図１１に示す例において、直線状のパネル間接続部材４１に替えて、外部接続部材４０を用いている。図１２に示すように、この実施形態においては、例えば、外部接続部材４０を介して任意の床暖房パネル１０ａに供給された熱媒を外部熱源に排出し、再加熱され、その熱媒が外部接続部材４０を介して隣接する床暖房パネル１０ｂに供給される。また、床暖房パネル１０ｂに供給された熱媒をコの字状のパネル間接続部材４２を介して隣接する床暖房パネル１０ａに供給することが可能である。
【００３５】
この場合も、熱媒流通パイプ２の熱膨張によりコの字状のパネル間接続部材４２が接続部材収容空間１ｅ内で長手方向に移動するが、伸び規制手段として設けられた突起部５が、パネル間接続部材４２の接続部材収容空間１ｅ内での移動を規制でき、コの字状のパネル間接続部材４２の外部接続部材４０への接触を抑制し、音鳴りを効果的に防止することが可能となる。図１１では、隣接する床暖房パネル１０ａ，１０ｂの双方の接続部材収容空間１ｅ内に突起部（伸び規制手段）５を設けた例を示しているが、突起部（伸び規制手段）５は、隣り合う床暖房パネル１０ａ，１０ｂの少なくとも一方の接続部材収容空間１ｅ内に設けられておればよい。また、図１１では、第一出入口１ｃと第二出入口１ｄとの間の内壁から接続部材収容空間１ｅ内の任意の位置まで突出させた構成を示しているが、隣接する床暖房パネル１０ａ，１０ｂの接触面まで突出させた構成であってもよい。
【００３６】
図１２に示す例は、床暖房パネルの側面部から熱媒を排出する、いわゆる床上配管の場合の例であるが、パネル基材の底部に落とし込み穴を設け、落とし込み穴を介して床暖房パネルの底部から熱媒を排出する、いわゆる床下配管であっても、本発明の効果が得られることは言うまでもない。
【００３７】
伸び規制手段としては、図１１および図１２に示すように、部材収納空間１ｅ内において、第一出入口１ｃと第二出入口１ｄとの間の内壁から突出させた構成のものがよいが、このような例に限られない。例えば、図１３に示すように、部材収納空間１ｅの内壁からは離れた位置に島状凸部５ａを設けてもよい。図１３では、隣接する床暖房パネル１０ｃ，１０ｄの双方の接続部材収容空間１ｅ内に島状凸部５ａを設けた例を示しているが、島状凸部５ａは、隣り合う床暖房パネル１０ｃ，１０ｄの少なくとも一方の接続部材収容空間１ｅ内に設けられておればよい。
【００３８】
図１４に示すように、伸び規制手段としては、長辺近傍溝１ｂに収容される熱媒流通パイプ２の終端部に大径部２ａを設けるとともに、長辺近傍溝１ｂに大径部２ａを収容するための大径部収容凹部１ｆを設けることにより、長辺近傍溝１ｂに収容される熱媒流通パイプ２の伸びを規制するものであってもよい。例えば、大径部２ａは、その断面形状（熱媒流通パイプ２の軸方向に垂直な断面における形状）が円形、楕円形、多角形等であり、大径部収容凹部１ｆは、大径部２ａの形状に沿った凹部である。そして、長辺近傍溝１ｂに収容される熱媒流通パイプ２が伸びたときに、大径部２ａが大径部収容凹部１ｆの内壁に接触することにより、伸びを規制することが可能となる。図１４では、隣接する床暖房パネル１０ｅ，１０ｆの双方に大径部２ａおよび大径部収容凹部１ｆを設けた例を示しているが、隣り合う床暖房パネル１０ｅ，１０ｆの少なくとも一方に設けられておればよい。
【００３９】
図１５に示すように、伸び規制手段としては、コの字状のパネル間接続部材４２の先端部付近に鍔部４２ｃを設けるとともに、長辺近傍溝１ｂに鍔部４２ｃを収容するための鍔部収容凹部１ｇを設けることにより、長辺近傍溝１ｂに収容される熱媒流通パイプ２の伸びを規制するものであってもよい。例えば、鍔部４２ｃは、その断面形状が円形、楕円形、多角形等であり、鍔部収容凹部１ｇは、鍔部４２ｃの形状に沿った凹部である。そして、長辺近傍溝１ｂに収容される熱媒流通パイプ２が伸びたときに、鍔部４２ｃが鍔部収容凹部１ｇの内壁に接触することにより、伸びを規制することが可能となる。図１５では、隣接する床暖房パネル１０ｇ，１０ｈの双方に鍔部４２ｃおよび鍔部収容凹部１ｇを設けた例を示しているが、隣り合う床暖房パネル１０ｇ，１０ｈの少なくとも一方に設けられておればよい。
【００４０】
なお、図１３〜図１５は、直線状のパネル間接続部材４１およびコの字状のパネル間接続部材４２を用いる例を示しているが、直線状のパネル間接続部材４１に代えて、外部接続部材４０を用いる場合でも、同様の効果が得られることは言うまでもない。また、図１１〜図１５に示す構成の伸び規制手段は、熱媒流通パイプ収納溝１ａおよび部材収納空間１ｅを形成するためのＮＣ加工時に同時に形成することができる。
【００４１】
２．本実施形態に係る床暖房パネル構造
前項で説明した床暖房パネルを施工することにより、本実施形態に係る床暖房パネル構造が得られる。また、前項で説明した床暖房パネルを用いなくても、例えば、図１６に示すように、一の床暖房パネル１０ｋと他の床暖房パネル１０ｌとを下地床に、さらに、それぞれの熱媒流通パイプ２を部材収納空間１ｅ内において接続部材４１，４２で接続したのちに、接続部材４１，４２の間に発泡樹脂、ゴムなどのクッション性を有する素材からなるスペーサ５ｂを取り付けることによって床暖房パネル構造を施工してもよい。
【００４２】
これにより、矩形状のパネル基材１と熱媒流通パイプ２、さらに、必要に応じて被覆シート３を備える複数の床暖房パネル１０ｋ，１０ｌをつなぎ合わせた床暖房パネル構造であって、パネル基材１の上面に設けられた、熱媒流通パイプ２を収容する熱媒流通パイプ収容溝１ａと、パネル基材１の少なくとも一つの角部に設けられた、熱媒流通パイプ２を外部熱源に接続する外部接続部材４０および／または隣接する他の床暖房パネルの熱媒流通パイプ２に接続するパネル間接続部材４１，４２を収容する接続部材収容空間１ｅとを備え、熱媒流通パイプ収容溝１ａが、パネル基材１の長辺に沿って配置された長辺近傍溝１ｂと、長辺近傍溝１ｂから接続部材収容空間１ｅに接続された第一出入口１ｃと、パネル基材１の短辺に沿って配置された溝から接続部材収容空間１ｅに接続された第二出入口１ｄとを備え、外部接続部材４０とパネル間接続部材４２との間、または、パネル間接続部材４１とパネル間接続部材４２との間に、長辺近傍溝１ａに収容された熱媒流通パイプ２の伸びを規制するスペーサ５ｂを備える、床暖房パネル構造が得られる。
【００４３】
このような構成であれば、長辺近傍溝１ｂに収容される熱媒流通パイプ２が伸びたときに、コの字状のパネル間接続部材４２の移動を制限し、接続部材同士の接触を効果的に防止することができる。
【００４４】
図１６は、部材収納空間１ｅにスペーサ５ｂを貼り付ける例を示しているが、接続部材４１および接続部材４２の対向面（接触が想定される面）の少なくとも一方にスペーサ５ｂを貼り付けることによって、床暖房パネル構造を構成してもよい。この場合も、パネル間接続部材４１とパネル間接続部材４２との間に、長辺近傍溝１ａに収容された熱媒流通パイプ２の伸びを規制するスペーサを設けることになり、長辺近傍溝１ｂに収容される熱媒流通パイプ２が伸びたときに、コの字状のパネル間接続部材４２の移動を制限し、接続部材同士の接触を効果的に防止することができる。
【００４５】
なお、図１６は、直線状のパネル間接続部材４１およびコの字状のパネル間接続部材４２を用いる例を示しているが、直線状のパネル間接続部材４１に代えて、外部接続部材４０を用いる場合でも、同様の効果が得られることは言うまでもない。
【００４６】
図１７に示すように、コの字状のパネル間接続部材４２の一部に、貫通孔（図示省略）を有する固定板部４２ｄを設けており、この固定板部４２ｄの貫通孔にビスなどの固定具７を挿入し、締め付けることにより、コの字状のパネル間接続部材４２の移動を制限することが可能となる。これにより、長辺近傍溝１ｂに収容される熱媒流通パイプ２の伸びを規制するものであってもよい。図１７では、隣接する床暖房パネル１０ｉ，１０ｊの双方の接続部材収容空間１ｅ内において固定板部４２ｄを介してコの字状のパネル間接続部材４２が固定される例を示しているが、隣り合う床暖房パネル１０ｉ，１０ｊの少なくとも一方の接続部材収容空間１ｅ内において固定されておればよい。
【産業上の利用可能性】
【００４７】
本発明によれば、接続作業が容易であり、かつ施工後に床暖房フロアとしての使用感を劣化させることのない床暖房パネルおよび床暖房パネル構造を提供することができる。
【符号の説明】
【００４８】
１  パネル基材
１ａ  熱媒流通パイプ収容溝
１ｂ  長辺近傍溝
１ｃ  第一出入口
１ｄ  第二出入口
１ｅ  接続部材収容空間
１ｆ  大径部収容凹部
２  熱媒流通パイプ
２ａ  大径部
３  熱媒流通パイプ（外部熱源接続用）
５  突起部（伸び規制手段）
５ａ  島状凸部
５ｂ  スペーサ
６  被覆シート
７  固定具（ビス）
１０、１０ａ、１０ｂ、１０ｃ、１０ｄ、１０ｅ、１０ｆ、１０ｇ、１０ｈ、１０ｉ、１０ｊ、１０ｋ、１０ｌ  床暖房パネル
４０  外部接続部材
４０ａ  第一接続部
４０ｂ  第二接続部
４０ｃ  第三接続部
４０ｄ  第四接続部
４１  直線状のパネル間接続部材
４１ａ  第一接続部
４１ｂ  第二接続部
４２  コの字状のパネル間接続部材
４２ａ  第一接続部
４２ｂ  第二接続部
４２ｃ  鍔部
４２ｄ  固定板部
１０５  床暖房パネル
１０３  パネル基材
１０２  熱媒流通パイプ  
１０４  被覆シート
１０３ａ  熱媒流通パイプ収容溝
１０６  接続部材収容空間
【図１】
2018054226.tif 000003
【図２】
2018054226.tif 000004
【図３】
2018054226.tif 000005
【図４】
2018054226.tif 000006
【図５】
2018054226.tif 000007
【図６】
2018054226.tif 000008
【図７】
2018054226.tif 000009
【図８】
2018054226.tif 000010
【図９】
2018054226.tif 000011
【図１０】
2018054226.tif 000012
【図１１】
2018054226.tif 000013
【図１２】
2018054226.tif 000014
【図１３】
2018054226.tif 000015
【図１４】
2018054226.tif 000016
【図１５】
2018054226.tif 000017
【図１６】
2018054226.tif 000018
【図１７】
2018054226.tif 000019